(57)【要約】【課題】  楽に着用できるにもかかわらず、バストの造形性に優れ、かつ、着崩れがし難いカップ部を有する衣類を提供する。【解決手段】  一対のカップ部、カップ部を引き上げるための肩ストラップ、カップ部を支持する支持部およびバック布を備えたカップ部を有する衣類であって、一対のカップ部の下縁に、支持部が備えられ、支持部の脇側にバック布が取り付けられ、カップ部は、外装カップと内カップとを有し、外装カップは、上部が肩ストラップに取り付けられているとともに、下縁部が支持部に接続されており、内カップは、上部が肩ストラップに吊着されているとともに、バストトップ位置とバージスラインとの間の略中央部分の領域のうち、少なくとも、バストトップ位置とバージスラインの最下点近傍との間の領域を含むバスト中間領域に、内カップの下縁部が接するように形成されている。【選択図】  図１
2011195999.tif 000002
【特許請求の範囲】
【請求項１】
カップ部を有する衣類であって、
一対のカップ部、前記カップ部を引き上げるための肩ストラップ、カップ部を支持する支持部およびバック布を備え、
前記支持部は、前記一対のカップ部の下縁に設けられ、
前記バック布は、前記支持部の脇側に取り付けられ、
前記カップ部は、外装カップと内カップとを有し、
前記外装カップは、上部が前記肩ストラップに取り付けられているとともに、下縁部が前記支持部に接続されており、
前記内カップは、上部が前記肩ストラップに吊着されているとともに、バストトップ位置とバージスラインとの間の略中央部分の領域のうち、少なくとも、バストトップ位置とバージスラインの最下点近傍との間の領域を含むバスト中間領域に、内カップの下縁部が接するように形成されていることを特徴とするカップ部を有する衣類。
【請求項２】
前記内カップの上縁部の少なくとも一部が、前記外装カップの上縁部に接合されている、請求項１記載のカップ部を有する衣類。
【請求項３】
前記内カップが、少なくとも前記バスト中間領域から脇側部分を経由して前記肩ストラップとの吊着部分に至る周縁部に沿ってリフト布を有している、請求項１または２記載のカップ部を有する衣類。
【請求項４】
前記リフト布が、前中心側部分に比べ脇側部分において幅広に形成されている、請求項３記載のカップ部を有する衣類。
【請求項５】
前記内カップが、前中心側の端部において、前記支持部と接続されている、請求項１から４のいずれか一項に記載のカップ部を有する衣類。
【請求項６】
前記内カップと前記支持部との間に、被覆部材が掛け渡されている、請求項１から５のいずれか一項に記載のカップ部を有する衣類。
【請求項７】
前記被覆部材が、メッシュ状の布材である、請求項６記載のカップ部を有する衣類。
【請求項８】
衣類がブラジャーである、請求項１から７のいずれか一項に記載のカップ部を有する衣類。
【請求項９】
衣類が、さらに衣類本体部を有し、前記衣類本体部が前記支持部の下に取り付けられている、請求項１から７のいずれか一項に記載のカップ部を有する衣類。
【発明の詳細な説明】
【技術分野】
【０００１】
本発明は、カップ部を有する衣類に関する。
【背景技術】
【０００２】
カップ部を有する衣類、例えば、ブラジャーでは、バストトップの位置を上方に引き上げ、かつ胸の谷間をくっきりさせてバストを豊かに見せるために、下垂する乳房を前中心上方寄りに寄せ上げる補整機能を備えた様々なブラジャーが提案されている。一例としては、カップ本体の肌側に、分離カップと称する弾性を有する布材を、前中心側のカップ下辺部と肩ストラップとを繋ぐように設け、分離カップでバストを持ち上げるという方法が提案されている（例えば、特許文献１参照。）。図１９（ａ）〜（ｃ）に、体型によるバスト形状の違いを示す模式側面図を示す。図１９（ｂ）および（ｃ）に示すように、バストのボリュームや下垂が大きい場合には、前記分離カップの接触する部分だけが変形して、バストを全体的に持ち上げることは困難であった。また、着用者の動作に伴い、下垂したバストがカップ全体を押し下げることにより、ブラジャーのアンダーバスト部分がバージスラインからずり下がり、着崩れてしまうことがあった（図２０参照）。このずり下がりを防ぐために、肩ストラップからの引っ張り力を大きくすると、今度は着用者の動作に伴ってアンダーバスト部分がずり上がりやすくなる。そのため、ブラジャーのアンダーバスト部分（バック布）を強い力で締め付ける必要があり、着用時の負担が大きくなりやすかった。
【先行技術文献】
【特許文献】
【０００３】
【特許文献１】特開２００５−２８１９２０号公報
【発明の概要】
【発明が解決しようとする課題】
【０００４】
従来のカップ部を有する衣類においては、肩ストラップによる引き上げ力と、アンダーバスト部分（バック布）の締め付け力をバランスさせることが困難であり、結果として両方の力が大きくなりがちであった。そのため、肩ストラップの肩への食い込みや、バック布のアンダーバスト部分への食い込みが生じやすく、着用感は必ずしも快適とはいえなかった。本発明は、楽に着用できるにもかかわらず、バストの造形性に優れ、かつ、着崩れがし難いカップ部を有する衣類を提供することを目的とする。
【課題を解決するための手段】
【０００５】
前記目的を達成するために、本発明のカップ部を有する衣類は、一対のカップ部、前記カップ部を引き上げるための肩ストラップ、カップ部を支持する支持部およびバック布を備え、
前記支持部は、前記一対のカップ部の下縁に設けられ、
前記バック布は、前記支持部の脇側に取り付けられ、
前記カップ部は、外装カップと内カップとを有し、
前記外装カップは、上部が前記肩ストラップに取り付けられているとともに、下縁部が前記支持部に接続されており、
前記内カップは、上部が前記肩ストラップに吊着されているとともに、バストトップ位置とバージスラインとの間の略中央部分の領域のうち、少なくとも、バストトップ位置とバージスラインの最下点近傍との間の領域を含むバスト中間領域に、内カップの下縁部が接するように形成されていることを特徴とする。
【発明の効果】
【０００６】
本発明のカップ部を有する衣類は、前記内カップ部が肩ストラップに吊り下げられているとともに、前記内カップの下縁部が前記バスト中間領域に接するように形成されているため、前記支持部に引っ張られ難い。このため、肩ストラップの引き上げ力によって、バスト中間領域を効果的に持ち上げ、バストトップの位置を高く保持することができる。また、肩ストラップがカップ部を引き上げる力が支持部に伝わり難く、支持部が肩ストラップに引き上げられるのを抑制することができる。
【図面の簡単な説明】
【０００７】
【図１】図１は、本発明のカップ部を有する衣類の一例である、第一の実施形態に係るブラジャーを示す斜視図である。
【図２】図２は、前記第一の実施形態に係るブラジャーを示す背面図である。
【図３】図３は、前記第一の実施形態に係るブラジャーのカップ部をＩ−Ｉ方向に見た断面図である。
【図４】図４は、本発明における「中間領域」を説明する模式図である。
【図５】図５は、前記第一の実施形態の第一変形例に係るブラジャーを示す図である。（ａ）は、カップ部付近を背面側から見た図である。（ｂ）は、前記カップ部をＩＩ−ＩＩ方向に見た断面図である。
【図６】図６は、前記第一の実施形態の第一変形例のその他の例に係るブラジャーの、図５（ｂ）に示す箇所に対応する箇所を示す断面図である。
【図７】図７は、前記第一の実施形態の第二変形例に係るブラジャーの、カップ部付近を背面側から見た図である。図７（ａ）は、前記第二変形例の一例を、図７（ｂ）は、前記第二変形例のその他の例である。
【図８】図８は、前記第一の実施形態の第三変形例に係るブラジャーの、カップ部付近を背面側から見た図である。
【図９】図９は、前記第一の実施形態の第四変形例に係るブラジャーの、図５（ｂ）に示す箇所に対応する箇所を示す断面図である。
【図１０】図１０は、本発明のカップ部を有する衣類のその他の例である、第二の実施形態に係るブラジャーを示す斜視図である。
【図１１】図１１は、前記第二の実施形態に係るブラジャーを示す背面図である。
【図１２】図１２は、前記第二の実施形態に係るブラジャーのカップ部をＩＩＩ−ＩＩＩ方向に見た断面図である。
【図１３】図１３は、前記第二の実施形態の第一変形例に係るブラジャーの、カップ部付近を背面側から見た図である。
【図１４】図１４は、本発明のカップ部を有する衣類のその他の例である、第三の実施形態に係るブラジャーを示す斜視図である。
【図１５】図１５は、本発明のカップ部を有する衣類のその他の例である、第四の実施形態に係るブラジャーを示す斜視図である。
【図１６】図１６は、本発明のカップ部を有する衣類のその他の例である、第五の実施形態に係るブラジャーを示す斜視図である。
【図１７】図１７は、着用評価におけるバストの形状を示す図であり、（ａ）は、ブラジャー着用時の胸部分を正面から見た図、（ｂ）は同じく側面から見た図、（ｃ）はブラジャーを着用した状態で写真撮影し、モアレ干渉縞による立体的な造型性を等高線で示した結果の図、（ｄ）は、ブラジャー着用時の胸を上から撮影したバストシルエットを示す図である。
【図１８】図１８は、本発明のカップ部を有する衣類のその他の例を示す斜視図である。（ａ）はボディスーツ、（ｂ）はブラスリップの一例である。
【図１９】図１９は、体型によるバスト形状の違いを示す模式側面図である。
【図２０】図２０は、従来品のブラジャー着用時の状態を示す側面図である。
【発明を実施するための形態】
【０００８】
本発明のカップ部を有する衣類について、例をあげて説明する。ただし、本発明は、以下の例に限定および制限されない。
【０００９】
（第一の実施形態）
図１から図３に、本発明のカップ部を有する衣類の第一の実施形態に係るブラジャー１００を示す。本実施形態のブラジャー１００は、一対のカップ部１０１、一対の肩ストラップ１０２、支持部１０３、およびバック布１０４を主要構成要素とする、いわゆる３／４カップのブラジャーである。本実施形態においては、バック布１０４は、着脱自在な連結係止部１０５を背中心付近に有している。図１は、バック布１０４を係止した状態の本実施形態のブラジャー１００の斜視図であり、図２は、バック布１０４を開いた状態の本実施形態のブラジャー１００の背面図である。図３は、カップ部１０１を図１においてＩ−Ｉ方向に見た断面図である。前記三図において、同一部分には同一符号を付している。本実施形態においては、前記支持部１０３は土台部１０３ａを有しており、前記土台部１０３ａによって、前記一対のカップ部１０１が連結されている。前記支持部１０３のバージスラインに沿う部分には、ワイヤー１０３ｂが設けられていてもよいが、ノンワイヤーとすることもできる。前記土台部１０３ａの両端には、一対のバック布１０４の一端が取り付けられている。一対のバック布１０４の他端は、連結係止部１０５が取り付けられて、着脱自在になっている。本例のブラジャーでは、連結係止部１０５として、ホック（例えば、フック・アンド・アイ（鈎ホック））を使用しているが、他の種類の係止具を使用してもよく、また、バック布が連結係止部１０５を有さないフロントホックタイプや、連結係止部１０５がないタイプ、バック布を結んで係止するタイプであってもよい。肩ストラップ１０２の他端は、バック布１０４の上辺に取り付けられた円環の係止具１０６ａを通って反転し、エイト環からなる長さ調節具１０６ｂに導入されることによって、肩ストラップ１０２の長さ調整が可能な状態で、肩ストラップ１０２の他端側が、バック布１０４の上辺に取り付けられている。肩ストラップ１０２の態様はこれに限定されず、例えば、前記一対のカップ部１０１の上部同士を互いに繋ぐように取り付けられている、いわゆる「ホルターネック」タイプであってもよい。３／４カップのブラジャーの場合には、肩ストラップ１０２のカップ部１０１への取り付け位置は、後述するフルカップのブラジャーに比べて脇寄りである。前記取り付け位置を脇寄りとすることによって、バストの脇からの寄せを強くし、バストの谷間やバスト上部のふくらみ感を強調させることが可能となる。
【００１０】
前記連結係止部１０５としては、ホック（例えば、フック・アンド・アイ（鈎ホック））、グリッパー、ボタン、紐、面ファスナーなどを、デザインや用途に応じて適宜選択して使用することができる。なお、上記のフック・アンド・アイやグリッパー、ボタンを用いる場合には、複数の留め位置を予め設けておくことにより、締め付け具合を微調整できるようにしておくことも好ましい。なお、上記以外の他の種類の係止具を使用してもよい。
【００１１】
前記一対のカップ部１０１は、それぞれ外装カップ１０１ａと内カップ１０１ｂとを有している。前記外装カップ１０１ａは、上部が肩ストラップ１０２に取り付けられているとともに、下縁部が支持部１０３に接続されている。前記内カップ１０１ｂは、上部が肩ストラップ１０２に吊着されており、下縁部は、バストの中間領域Ａに接するように形成されている。図３の断面図に示すように、前記内カップ１０１ｂの下縁部は、前記外装カップ１０１ａとは接合されていない。そのため、前記内カップ１０１ｂは、前記外装カップ１０１ａとは独立に前記肩ストラップ１０２によって引き上げることができる。ここで、バストの中間領域Ａとは、バストトップ位置とバージスラインとの間の略中央部分の領域のうち、少なくとも、バストトップ位置とバージスラインの最下点近傍との間の領域を含む領域である。前記バストの中間領域Ａは、図４に示すように、バストトップ位置ＴからバージスラインＬに向かう方向の略中央部分を横断するバージスラインの相似曲線Ｌ’を含む領域であることが好ましい。この中間領域Ａにおいて、前記肩ストラップ１０２の引き上げ力によって、前記内カップ１０１ｂを持ち上げることで、バストトップ位置Ｔを高く保持することができる。また、前記内カップ１０１ｂは、前記支持部１０３に引っ張られることがないので、前記内カップ１０１ｂが接する前記バストの中間領域Ａを効果的に持ち上げることができる。本発明のカップ部を有する衣類は、内カップ１０１ｂを吊り下げる構造を採用することにより、バストのボリュームが多少異なっている場合であっても、内カップ１０１ｂが前後に揺動してバストに良好にフィットする。前記内カップ１０１ｂは、バストを包み込むように形成されているので、例えば、加齢等によりバストの肉質が柔らかくなり下垂が進行している場合であっても、バストを全体的に上方に引き上げることができる。前記内カップ１０１ｂは、バストトップを含むバストの膨出部分が円錐形状となるように形成されていることが好ましい。
【００１２】
前記内カップ１０１ｂの上縁部の少なくとも一部は、前記外装カップ１０１ａの上縁部に接合されていることが好ましい。前記内カップ１０１ｂの上縁部の少なくとも一部を前記外装カップ１０１ａの上縁部に接合することで、前記内カップ１０１ｂの取り付け位置を一定に保持しやすくなる。接合は、縫着、接着等の方法で行うことができる。本実施形態においては、前記内カップ１０１ｂは、前記肩ストラップ１０２の取り付け位置から前記支持部１０３の脇部分に近接する位置までの領域において前記外装カップ１０１ａに接合されている。これにより、前記内カップ１０１ｂの着用時の位置を、より一定に保持しやすくしている。なお、前記肩ストラップ１０２の取り付け位置から前記支持部１０３の脇部分に近接する位置までの領域の一部においてのみ、前記内カップ１０１ｂを前記外装カップ１０１ａに取り付けるものとしても良い。このような構成も前記内カップ１０１ｂの着用時の位置を一定に保持する上で好ましい。
【００１３】
本実施形態においては、前記内カップ１０１ｂは、前中心側の端部において、前記支持部１０３と接続されている。本実施形態のような３／４カップのブラジャーにおいては、前記肩ストラップ１０２は、上述のとおり脇寄りで前記カップ部１０１に取り付けられている。このように、前中心側の端部において前記内カップ１０１ｂと前記支持部１０３とを接続することには、前記内カップ１０１ｂの位置を、所定の位置に保持しやすくなるというメリットもある。
【００１４】
前記内カップ１０１ｂは、通常のブラジャーにおいてカップ部に用いられる素材を適宜使用することができる。前記素材は、前記バストの中間領域Ａを効果的に持ち上げることができる程度に、伸縮性が低いことが好ましい。例えば、厚手の不織布を接ぎ合わせて構成してもよく、その場合、カップの形状を立体的に保つことができる。
【００１５】
ここで、肩ストラップ１０２は、カップ部１０１を肩から吊り下げるものであればよい。紐や布テープであってもよいし、タンクトップのような幅の広い、いわゆるラウンドタイプのストラップであってもよい。ラウンドタイプの場合は、外装カップ１０１ａと同じ素材で肩ストラップ１０２が形成されてもよい。肩ストラップ１０２の態様は一対のカップ部１０１に対応して一対の肩ストラップ１０２をそれぞれカップ部上部とバック布１０４に取り付ける態様に限定されず、例えば、スポーツタイプのブラジャーの肩ストラップのように、背中側で２本の肩ストラップ１０２が一体となりバック布１０４に取り付けられる態様であってもよい。また、カップ部１０１のみに肩ストラップ１０２が取り付けられている、いわゆる「ホルターネック」タイプであってもよい。肩ストラップ１０２の取り付け位置は、カップ部１０１の形状やカップ部を有する衣類のデザインによって決定することができる。
【００１６】
なお、本実施形態において、前記内カップ１０１ｂは、前記の前中心側の端部以外の箇所において、前記支持部１０３とは直接に接続されてはおらず、隙間を有しているが、前記内カップ１０１ｂと前記支持部１０３との間には、被覆部材１０７が掛け渡されていることが好ましい。前記被覆部材１０７は、前記内カップ１０１ｂが前記肩ストラップ１０２に引き上げられた際にも、前記支持部１０３を引き上げることがないように形成されている。一例として、前記隙間の長さよりも予め設定した長さだけ長く設計した前記被覆部材１０７を用いることができる。ここで、前記予め設定した長さとは、前記内カップ１０１ｂが前記肩ストラップ１０２に引っ張られたときに、前記被覆部材１０７を介して前記支持部１０３が前記内カップ１０１ｂを引っ張らない程度の長さである。この場合の前記被覆部材１０７としては、前記内カップ１０１ｂの裏打ちと同素材のものとしてもよく、外観のデザインにバリエーションを持たせることができる。
【００１７】
また、他の例としては、前記内カップ１０１ｂおよび前記肩ストラップ１０２よりも伸縮性の高い素材を、前記被覆部材１０７として用いることもできる。前記伸縮性の高い素材としては、メッシュ材、パワーネット等があげられる。このような伸縮性の高い素材を前記被覆部材１０７として用いることで、前記内カップ１０１ｂが前記肩ストラップ１０２に引き上げられた際にも、前記被覆部材１０７が伸びることで、前記支持部１０３を引き上げないようにすることができる。本実施形態において、前記被覆部材１０７が掛け渡されている態様であると、前記内カップ１０１ｂの着用時の位置を、より一定に保持しやすくなるとともに、例えば、ブラジャー１００の着用時や洗濯時における型崩れ等を防ぐこともできる。また、前記被覆部材１０７として、メッシュ状の布材を用いると、着用時のバージスライン周辺の通気性が良好なものとなり、また、バージスライン周辺のバストの肌すべりも良好となるので、快適な着用感のブラジャーを提供することができる。
【００１８】
図５に、前記第一の実施形態の第一変形例に係るブラジャーを示す。図５（ａ）は、本例のブラジャーのカップ部付近を背面側から見た図であり、図５（ｂ）は、前記カップ部をＩＩ−ＩＩ方向に見た断面図である。本変形例においては、前記内カップ１０１ｂは、前記バスト中間領域Ａから脇側部分を経由して前記肩ストラップ１０２との吊着部分に至る周縁部に沿って、さらにリフト布１０８を有している。前記リフト布１０８は、前記内カップ１０１ｂよりも低伸度の素材で形成されていることが好ましい。低伸度の素材を前記内カップ１０１ｂの周縁部に設けることで、前記内カップ１０１ｂ周縁部の剛性を高め、装着時にバスト下部の前記中間領域Ａを、より持ち上げやすくすることができる。前記リフト布１０８は、前記内カップ１０１ｂの周縁部側のみに縫着することが好ましい。具体的には、パワーネット、サテンネット、トリコネット等の素材がより好ましいが、これらに限定されない。前記リフト布１０８としては、伸縮性の低いテープ材を用いてもよい。前記リフト布１０８は、図５（ｂ）に示すように、内カップ１０１ｂの外側（外装カップ１０１ａ側）に設けることが肌当たり等の点から好ましいが、これに限定されず、内カップ１０１ｂの内側（着用時の肌側）に設けてもよい。なお、本実施態様において、前記リフト布１０８を前記内カップ１０１ｂの周縁部側と縫着する際に、前記内カップ１０１ｂの下部を「いせ込み」によって、内側すなわちバストと接する側にわずかに膨出させることで、バストに対する肌当たりを良くすることもできる。
【００１９】
上記第一の実施形態の第一変形例では、リフト布１０８を内カップ１０１ｂに設ける例を挙げて説明したが、本発明はこれに限定されるものではない。リフト布１０８を設ける代わりに、図６に示すように内カップ１０１ｂの周縁部１０１ｂ−２を低伸度となるよう形成してもよい。より具体的には、編地の伸度を部分的に切り替える方法（編変わり）や、樹脂含浸によって内カップ１０１ｂの周縁部１０１ｂ−２の伸度を他の部分１０１ｂ−１よりも低いものとすることができる。この場合には、前記リフト布１０８を別途設けなくとも前記内カップ１０１ｂ周縁部の剛性を高めることができる。
【００２０】
あるいは、リフト布１０８と被覆部材１０７とを、同一の素材で一体に形成することもできる。前記リフト布１０８を、前記内カップ１０１ｂよりも低伸度の素材で形成する場合、前記被覆部材１０７に相当する部分は、前記内カップ１０１ｂと前記支持部１０３との間の隙間の長さよりも長く設けておくとよい。前記被覆部材１０７に相当する部分の長さは、前記内カップ１０１ｂが前記肩ストラップ１０２に引っ張られたときに、前記被覆部材１０７を介して前記支持部１０３が前記内カップ１０１ｂを引っ張らない程度の長さとすることが好ましい。
【００２１】
図７に、前記第一の実施形態の第二変形例に係るブラジャーのカップ部付近を背面側から見た図を示す。図７（ａ）に示す変形例においては、前記リフト布１０８は、前中心側部分に比べ脇側部分において幅広に形成されている。脇側において前記リフト布１０８の幅を広く設けることによって、バストの脇側に対する前記リフト布１０８の当接面積が広がり、脇側のバストを押し上げる（すくい上げる）力を大きくすることができるので、好ましい。このような形態にすることで、バストの脇流れを防止することができる。図７（ｂ）に示す変形例においては、前記リフト布１０８は、前記内カップ１０１ｂにおいて、バストの脇側から下側にかけて、広い範囲に形成されている。図７（ｂ）に示すような態様とすると、前記リフト布１０８がバストを押し上げる（すくい上げる）面積を大きくすることができるので、好ましい。
【００２２】
図８に、前記第一の実施形態の第三変形例に係るブラジャーのカップ部付近を背面側から見た図を示す。本変形例においては、前記内カップ１０１ｂは、前記外装カップ１０１ａの脇側端部とは分離して形成されている。着用者のバストボリューム等によっては、前記内カップ１０１ｂは、前記外装カップ１０１ａの脇側端部とは分離して形成されていても、十分な効果を得ることができる。この場合、前記内カップ１０１ｂと前記外装カップ１０１ａの脇側外縁とは、前記被覆部材１０７を介して連結させることもできる。
【００２３】
図９に、前記第一の実施形態の第四変形例に係るブラジャーのカップ部において、図５（ｂ）に示す箇所に対応する箇所を示す断面図を示す。本例においては、前記リフト布１０８は、前記被覆部材１０７の一端側を折り返す（ワサ状とする）ことにより形成されている。折り返した前記被覆部材１０７の端部は、前記内カップ１０１ｂの周縁部側に接合され、前記被覆部材１０７の他端側は、前記支持部１０３に接合されている。バストを引き上げる力が必要であるリフト布１０８については、前記被覆部材１０７をワサ状として伸び難いものとすることにより、求められる機能が異なる前記リフト布１０８の機能と前記被覆部材１０７の機能とを、同じ素材によって実現することができる。本構成とすることにより、製造コストを低減することができる。
【００２４】
（第二の実施形態）
次に、図１０から図１２に、本発明のカップ部を有する衣類の第二の実施形態に係るブラジャー２００を示す。本実施形態のブラジャー２００は、一対のカップ部２０１、一対の肩ストラップ２０２、支持部２０３、およびバック布２０４を主要構成要素とする、いわゆるフルカップのブラジャーである。本実施形態においては、バック布２０４は、着脱自在な連結係止部２０５を背中心付近に有している。図１０は、バック布２０４を係止した状態の本実施形態のブラジャー２００の斜視図であり、図１１は、バック布２０４を開いた状態の本実施形態のブラジャー２００の背面図である。図１２は、カップ部２０１を図１０においてＩＩＩ−ＩＩＩ方向に見た断面図である。前記三図において、同一部分には同一符号を付している。本実施形態においては、前記支持部２０３は土台部２０３ａを有しており、前記土台部２０３ａによって、前記一対のカップ部２０１が連結されている。前記支持部２０３のバージスラインに沿う部分には、ワイヤー２０３ｂが設けられていてもよいが、ノンワイヤーとすることもできる。前記土台部２０３ａの両端には、一対のバック布２０４の一端が取り付けられている。一対のバック布２０４の他端は、連結係止部２０５が取り付けられて、着脱自在になっている。本例のブラジャーでは、連結係止部２０５として、ホック（例えば、フック・アンド・アイ（鈎ホック））を使用しているが、他の種類の係止具を使用してもよく、また、バック布が連結係止部２０５を有さないフロントホックタイプや、連結係止部２０５がないタイプ、バック布を結んで係止するタイプであってもよい。肩ストラップ２０２の他端は、バック布２０４の上辺に取り付けられた円環の係止具２０６ａを通って反転し、エイト環からなる長さ調節具２０６ｂに導入されることによって、肩ストラップ２０２の長さ調整が可能な状態で、肩ストラップ２０２の他端側が、バック布２０４の上辺に取り付けられている。肩ストラップ２０２の態様はこれに限定されず、例えば、前記一対のカップ部２０１の上部同士を互いに繋ぐように取り付けられている、いわゆる「ホルターネック」タイプであってもよい。フルカップのブラジャーの場合には、肩ストラップ２０２のカップ部２０１への取り付け位置は、カップ部２０１の中央寄りの部分であり、肩ストラップ２０２によってバスト全体を持ち上げてバストボリュームの重心を上にする構成である。
【００２５】
前記一対のカップ部２０１は、それぞれ外装カップ２０１ａと内カップ２０１ｂとを有している。前記外装カップ２０１ａは、上部が肩ストラップ２０２に取り付けられているとともに、下縁部が支持部２０３に接続されている。前記内カップ２０１ｂは、上部が肩ストラップ２０２に吊着されており、下縁部は、前記バストの中間領域Ａに接するように形成されている。図１２の断面図に示すように、前記内カップ２０１ｂの下縁部は、前記外装カップ２０１ａとは接合されていない。そのため、前記内カップ２０１ｂは、前記外装カップ２０１ａとは独立に前記肩ストラップ２０２によって引き上げることができる。前記バストの中間領域Ａにおいて、前記肩ストラップ２０２の引き上げ力によって、前記内カップ２０１ｂを持ち上げることで、バストトップ位置Ｔを高く保持することができる。また、前記内カップ２０１ｂは、前記支持部２０３に引っ張られることがないので、前記内カップ２０１ｂが接する前記バストの中間領域Ａを効果的に持ち上げることができる。本発明のカップ部を有する衣類は、内カップ２０１ｂを吊り下げる構造を採用することにより、バストのボリュームが多少異なっている場合であっても、内カップ２０１ｂが前後に揺動してバストに良好にフィットする。前記内カップ２０１ｂは、バストを包み込むように形成されているので、例えば、加齢等によりバストの肉質が柔らかくなり下垂が進行している場合であっても、バストを全体的に上方に引き上げることができる。前記内カップ２０１ｂは、バストトップを含むバストの膨出部分が円錐形状となるように形成されていることが好ましい。
【００２６】
前記内カップ２０１ｂの上縁部の少なくとも一部は、前記外装カップ２０１ａの上縁部に接合されていることが好ましい。前記内カップ２０１ｂの上縁部の少なくとも一部を前記外装カップ２０１ａの上縁部に接合することで、前記内カップ２０１ｂの取り付け位置を一定に保持しやすくなる。接合は、縫着、接着等の方法で行うことができる。本実施態様において、前記内カップ２０１ｂは、前記外装カップ２０１ａの前記肩ストラップ２０２の取り付け位置から前記支持部２０３の脇部分に近接する位置までの領域の少なくとも一部において接合部分を有すると、前記内カップ２０１ｂの着用時の位置を、より一定に保持しやすくなる。また、前記内カップ２０１ｂは、前記支持部２０３とは直接に接続されてはおらず、隙間を有しているが、前記内カップ２０１ｂと前記支持部２０３との間には、被覆部材２０７が掛け渡されていることが好ましい。
【００２７】
なお、本実施形態での前記内カップ２０１ｂの素材、前記連結係止部２０５、前記肩ストラップ２０２、前記被覆部材２０７については、前記第一の実施形態における内カップ１０１ｂ、連結係止部１０５、肩ストラップ１０２および被覆部材１０７と同様である。
【００２８】
図１３に、前記第二の実施形態の第一変形例に係るブラジャーのカップ部付近を背面側から見た図を示す。本例においては、前記内カップ２０１ｂは、前記バスト中間領域Ａから脇側部分を経由して前記肩ストラップ２０２との吊着部分に至る周縁部に沿って、さらにリフト布２０８を有している。前記リフト布２０８は、前記第一の実施形態におけるリフト布１０８と同様に形成することができる。
【００２９】
（第三の実施形態）
図１４に、本発明のカップ部を有する衣類の第三の実施形態に係るブラジャー３００を示す。本実施形態のブラジャー３００は、一対のカップ部３０１、一対の肩ストラップ３０２、支持部３０３、およびバック布３０４を主要構成要素とし、前記一対のカップ部３０１は、それぞれ外装カップ３０１ａと内カップ３０１ｂとを有している。本例のブラジャー３００では、前記内カップ３０１ｂが、前記第一および第二の実施形態に例示したような円錐形状ではなく、帯状である。そして、前記内カップ３０１ｂは、上部が肩ストラップ３０２に吊着され、前記バストの中間領域Ａを被覆するような、いわゆるドーナツ状に形成されている。その他の構成は、前記第一および第二の実施形態と同様である。本実施形態における内カップ３０１ｂは、いわゆるフルカップタイプのブラジャーのように、肩ストラップの取り付け位置がカップ部の中央寄りの部分であって、肩ストラップによってバスト全体を持ち上げる構成とする態様において、好適に使用することができる。なお、前記内カップ３０１ｂは、前中心側部分に比べ脇側部分において幅広に形成することも好ましい。脇側において前記内カップ３０１ｂの幅を広く設けることによって、バストの脇側に対する前記内カップ３０１ｂの当接面積が広がり、脇側のバストを押し上げる（すくい上げる）力を大きくすることができる。このような形態にすることで、バストの脇流れを防止することができる。
【００３０】
（第四の実施形態）
図１５に、本発明のカップ部を有する衣類の第四の実施形態に係るブラジャー４００を示す。本実施形態のブラジャー４００は、一対のカップ部４０１、一対の肩ストラップ４０２、支持部４０３、およびバック布４０４を主要構成要素とし、前記一対のカップ部４０１は、それぞれ外装カップ４０１ａと内カップ４０１ｂとを有している。本例のブラジャー４００では、前記支持部４０３が、土台部を有しておらず、前記一対のカップ部４０１が、前記土台部を介さずに連結されている。前記連結は、前記支持部４０３同士が連結されていてもよいし（図１５（ａ））、前記連結係止部１０５を前中心に設けて、フロントホックタイプとしてもよい（図１５（ｂ））。その他の構成は、前記の実施形態と同様であり、同様の効果を得ることができる。このように、本発明のカップ部を有する衣類は、様々なデザインにも適用することができる。
【００３１】
（第五の実施形態）
図１６に、本発明のカップ部を有する衣類の第五の実施形態に係るブラジャー５００を示す。なお、図１６では、手前側に位置するカップ部のみ内部構成を図示している。本実施形態に係るブラジャー５００は、左右のカップ部が三角形状を呈するように形成されている、いわゆる「三角ブラ」である。その他の構成は上記第二の実施形態に係るブラジャー２００とほぼ同様である。以下において、主としてブラジャー２００の構成と異なる部分について説明する。本実施形態のブラジャー５００は、一対のカップ部５０１、一対の肩ストラップ５０２、支持部５０３、バック布５０４、およびリフト布５０８を主要構成要素とし、前記一対のカップ部５０１は、それぞれ外装カップ５０１ａと内カップ５０１ｂとを有している。外装カップ５０１ａ及び内カップ５０１ｂは、それぞれ三角形状に形成されており、前中心側の端部が互いに接する程度に近接するように支持部５０３に取り付けられている。支持部５０３は、着用状態において、前中心部分の湾曲が緩やかになるように形成されている。
【００３２】
（着用評価）
図１に示すタイプの本発明に係るブラジャー１００を作製し、着用評価を行った。図１７は、前記ブラジャー１００および従来品のブラジャーについて、それぞれ同一モニターが着用した際のバストの形状を示す図である。（ａ）は、前記２種類のブラジャー着用時の胸部分を正面から見た図、（ｂ）は同じく側面から見た図、（ｃ）は前記２種類のブラジャーを着用した状態で写真撮影し、モアレ干渉縞による立体的な造型性を等高線で示した結果の図、（ｄ）は前記２種類のブラジャー着用時の胸を上から撮影したバストシルエットを示す図である。各図において、それぞれ、左側が本発明のブラジャー、右側が従来品のブラジャーでの結果である。図中の十字マークは、モニター胸部の基準となる場所を示している。（ａ）中の二点鎖線は、本発明のブラジャー着用時におけるカップ部下縁の支持部（バージスラインに沿う部分）の高さを示す。（ａ）について比較すると、本発明のブラジャーでは、従来品のブラジャーに比べ、着用時に支持部（土台部）の位置が高く保持されていることがわかる。（ｂ）について比較すると、本発明のブラジャーでは、（ｂ）中、破線で示す部分（上バスト部分）に膨らみがでるようにバストが造形されていることがわかる。（ｃ）について比較すると、本発明のブラジャーでは、バスト表面のモアレ縞が真円に近い形状となっていることがわかる。それに対して、従来品のブラジャーでは、横長の楕円に近い形状となっている。（ｂ）および（ｃ）の結果からは、従来品のブラジャーでは、バストの下垂に起因する上バストの膨らみが削げた部分に膨らみを持たせることができていないことがわかる。それに対し、本発明のブラジャーでは、バストの前記中間領域Ａを効果的に持ち上げることができ、上バスト部分の削げた部分にも膨らみを持たせることができている。（ｄ）について比較すると、本発明のブラジャーでは、（ｄ）中、破線で示すバスト脇側のシルエットラインの傾きが小さく、従来品のブラジャーに比べ、バストが前中心側に寄せられていることがわかる。
【００３３】
図１８（ａ）に、本発明のカップ部を有する衣類のその他の例として、ボディスーツ６００の斜視図を示す。
【００３４】
このボディスーツ６００のブラジャー相当部分は、図１で説明したブラジャー１００とほぼ同一の概念のもとに設計されている。本態様においては、前記ボディスーツ６００が、前記支持部１０３の下側に、衣類本体部であるボディ部６０１とクロッチ部６０２を有している。本例では、ボディ部６０１の一部が本発明におけるバック布となっているが、バック布を別途設けてその下に衣類本体部を取りつけてもよい。その他の態様は図１に示したブラジャー１００と実質上同一であり、同一部分には同一の符号を付して、重複する説明を省略している。ここでは、第一の実施形態に係るブラジャー１００とほぼ同一概念のもとに設計されたブラジャー相当部分を有するボディスーツについて説明したが、本発明はこれに限定されず、他の実施形態に係るブラジャー相当部分を有するボディスーツとすることもできる。
【００３５】
次に、図１８（ｂ）に本発明のカップ部を有する衣類のその他の例として、ブラスリップ７００の斜視図を示す。
【００３６】
このブラスリップ７００のブラジャー相当部分は、図１で説明したブラジャー１００とほぼ同一の概念のもとに設計されている。本態様においては、前記ブラスリップ７００が、前記支持部１０３の下側に、胸下部身頃７０１と、さらにそれに連なってスカート部７０２を有している。本例では、胸下部身頃７０１が本発明におけるバック布である。バック布を別途設けてその下に胸下部身頃７０１とスカート部７０２を取りつけてもよいし、バック布の下に直接スカート部７０２を取りつけてもよい。その他の態様は図１に示したブラジャー１００と実質上同一であり、同一部分には同一の符号を付して、重複する説明を省略している。ここでは、第一の実施形態に係るブラジャー１００とほぼ同一概念のもとに設計されたブラジャー相当部分を有するブラスリップについて説明したが、本発明はこれに限定されず、他の実施形態に係るブラジャー相当部分を有するブラスリップとすることもできる。
【００３７】
以上、実施の形態の具体例として、ブラジャー、ボディスーツ、ブラスリップをあげて本発明を説明したが、本発明のカップ部を有する衣類は、これらの具体例で記載されたもののみに限定されるものではなく、種々の態様が可能である。例えば、上記の実施形態のようなファンデーション衣類以外にも、ブラキャミソール、セパレートタイプの水着のトップ部、レオタード、その他各種のカップ部を有する衣類に適用できる。また、前中心を係脱自在のホックで連結するフロントホックタイプの衣類にも適用できる。
【産業上の利用可能性】
【００３８】
本発明のカップ部を有する衣類は、種々の態様が可能である。例えば、上記の実施形態のようなファンデーション衣類以外にも、スポーツ衣類、アウターなど、各種のカップ部を有する衣類に適用できる。
【符号の説明】
【００３９】
１００、２００、３００、４００、５００  ブラジャー
１０１、２０１、３０１、４０１、５０１  カップ部
１０１ａ、２０１ａ、３０１ａ、４０１ａ、５０１ａ  外装カップ
１０１ｂ、２０１ｂ、３０１ｂ、４０１ｂ、５０１ｂ  内カップ
１０２、２０２、３０２、４０２、５０２  肩ストラップ
１０３、２０３、３０３、４０３、５０３  支持部
１０３ａ、２０３ａ  土台部
１０３ｂ、２０３ｂ  ワイヤー
１０４、２０４、３０４、４０４、５０４  バック布
１０５、２０５  連結係止部
１０６ａ、２０６ａ  円環係止具
１０６ｂ、２０６ｂ  長さ調節具
１０７、２０７  被覆部材
１０８、２０８、５０８  リフト布
６００  ボディスーツ
６０１  ボディ部
６０２  クロッチ部
７００  ブラスリップ
７０１  胸下部身頃
７０２  スカート部
Ａ  中間領域
Ｔ  バストトップ位置
Ｌ  バージスライン
【図１】
2011195999.tif 000003
【図２】
2011195999.tif 000004
【図３】
2011195999.tif 000005
【図４】
2011195999.tif 000006
【図５】
2011195999.tif 000007
【図６】
2011195999.tif 000008
【図７】
2011195999.tif 000009
【図８】
2011195999.tif 000010
【図９】
2011195999.tif 000011
【図１０】
2011195999.tif 000012
【図１１】
2011195999.tif 000013
【図１２】
2011195999.tif 000014
【図１３】
2011195999.tif 000015
【図１４】
2011195999.tif 000016
【図１５】
2011195999.tif 000017
【図１６】
2011195999.tif 000018
【図１７】
2011195999.tif 000019
【図１８】
2011195999.tif 000020
【図１９】
2011195999.tif 000021
【図２０】
2011195999.tif 000022